【手続補正書】
【提出日】平成25年10月18日(2013.10.18)
【手続補正１】
【補正対象書類名】明細書
【補正対象項目名】００９２
【補正方法】変更
【補正の内容】
【００９２】
本明細書では、そうではないと明確に述べられないかまたは用法の脈絡によってそれとは反対を示されない限り、
（ａ）本明細書に列挙される量、サイズ、範囲、調合物、パラメーター、ならびに他の量および特性は、特に用語「約」によって修正されるときに、正確であってもよいが、正確である必要はなく、そしてまたおおよそであってもよくおよび／または、本発明の脈略内で、述べられた値への機能的なおよび／または使用できる等価性を有するその外側のそれらの値の述べられた値内への包含だけでなく、許容範囲、換算係数、丸め、測定誤差などを反映して、述べられるものより大きくてももしくは小さくてもよく；
（ｂ）部、百分率または比の全数量は、重量による部、百分率または比として与えられ；
（ｃ）本発明の要素または特徴の存在の言明または記載に関して不定冠詞「ａ」または「ａｎ」の使用は、要素または特徴の存在を数の上で１つに限定せず；そして
（ｄ）単語「含む（ｉｎｃｌｕｄｅ）」、「含む（ｉｎｃｌｕｄｅｓ）」および「含む（ｉｎｃｌｕｄｉｎｇ）」は、実際にそれが当てはまらない場合、あたかもそれらの後に語句「限定なしに」が続くかのように読まれ、解釈されるべきである。
本開示に含まれる米国特許および商標庁（Ｕｎｉｔｅｄ  Ｓｔａｔｅｓ  Ｐａｔｅｎｔ
ａｎｄ  Ｔｒａｄｅｍａｒｋ  Ｏｆｆｉｃｅ）の公文書および刊行物へのすべての言及は、全体公文書または刊行物が本明細書に出てくるかのように参照により本明細書によって援用される。
【手続補正２】
【補正対象書類名】明細書
【補正対象項目名】００９３
【補正方法】変更
【補正の内容】
【００９３】
以上、本発明を要約すると下記の通りである。
１．（ａ）約４０重量部以上なおかつ約９２重量部以下の、次式（ＩＶ）：
【化１５】
2013508536.tif 000001
（式中、Ｒ４、Ｒ５、Ｒ６、およびＲ７はそれぞれ独立して、Ｈ、Ｂｒ、Ｃｌ、Ｆ、アルキル、アルコキシ、またはフルオロアルキルである）
の構造で表されるような、無水フタル酸、または無水フタル酸の誘導体で末端キャップされている硬質ポリイミド；（ｂ）約８重量部以上なおかつ約６０重量部以下の黒鉛；および（ｃ）約０．５重量部以上なおかつ約１０．０重量部以下のカーボンフィラメントを混合剤で含む組成物。
２．前記カーボンフィラメントが、多層構造を有する気相成長カーボンファイバーである、上記１に記載の組成物。
３．前記カーボンフィラメントが前記フィラメントの長さの少なくとも一部に沿って走る中空穴を有する上記１に記載の組成物。
４．前記カーボンフィラメントが約１５０重量ｐｐｍ未満の鉄を含有する上記１に記載の組成物。
５．前記カーボンフィラメントが１モルのカーボン当たり少なくとも約０．０００５モルのホウ素を含有する上記１に記載の組成物。
６．前記カーボンフィラメントが次の特性：約７０〜約４００ｎｍの平均直径、約５〜約１００μｍの平均長さ、および少なくとも約５０のアスペクト比の１つ以上を有する上記１に記載の組成物。
７．前記ポリイミドが、芳香族テトラカルボン酸化合物またはその誘導体から製造され、前記芳香族テトラカルボン酸化合物が式（ＩＩ）：
【化１６】
2013508536.tif 000002
（式中、Ｒ１は四価の芳香族基であり、各Ｒ３は独立して、水素もしくはＣ１〜Ｃ１０アルキル基、またはそれらの混合物である）
で表される上記１に記載の組成物。
８．前記ポリイミドが、３，３’，４，４’−ビフェニルテトラカルボン酸、３，３’，４，４’−ビフェニルテトラカルボン酸二無水物、２，３，３’，４’−ビフェニルテトラカルボン酸、２，３，３’，４’−ビフェニルテトラカルボン酸二無水物、ピロメリッ
ト酸、ピロメリット酸二無水物、３，３’，４，４’−ベンゾフェノンテトラカルボン酸、３，３’，４，４’−ベンゾフェノンテトラカルボン酸二無水物、２，３，６，７−ナフタレンテトラカルボン酸、１，４，５，８−ナフタレンテトラカルボン酸、２，３，６，７−ナフタレンテトラカルボン酸二無水物、１，４，５，８−ナフタレンテトラカルボン酸二無水物およびそれらの混合物からなる群から選択される芳香族テトラカルボン酸化合物から製造される上記１に記載の組成物。
９．前記ポリイミドが、構造Ｈ２Ｎ−Ｒ２−ＮＨ２（式中、Ｒ２は、１６個以下の炭素原子を含有し、場合により、−Ｎ−、−Ｏ−、および−Ｓ−からなる群から選択される１つ以上のヘテロ原子を芳香環中に含有する二価の芳香族ラジカルである）で表されるジアミン化合物から製造される上記１に記載の組成物。
１０．前記ポリイミドが、２，６−ジアミノピリジン、３，５−ジアミノピリジン、１，２−ジアミノベンゼン、１，３−ジアミノベンゼン、１，４−ジアミノベンゼン、２，６−ジアミノトルエン、２，４−ジアミノトルエン、ベンジジン、３，３’−ジメチルベンジジン、ナフタレンジアミン、およびそれらの混合物からなる群から選択されるジアミン化合物から製造される上記１に記載の組成物。
１１．前記ポリイミドが、反復単位
【化１７】
2013508536.tif 000003
（式中、Ｒ２は、
ｐ−フェニレンラジカル、
【化１８】
2013508536.tif 000004
ｍ−フェニレンラジカル、
【化１９】
2013508536.tif 000005
およびそれらの混合物からなる群から選択される）
を含む上記１に記載の組成物。
１２．前記Ｒ２基の６０超〜約８５モル％がｐ−フェニレンラジカルを含み、約１５〜４０モル％未満がｍ−フェニレンラジカルを含む上記１１に記載の組成物。
１３．前記Ｒ２基の約７０モル％がｐ−フェニレンラジカルを含み、前記Ｒ２の約３０モ
ル％がｍ−フェニレンラジカルを含む上記１１に記載の組成物。
１４．前記ポリイミドが、−Ｏ−、−Ｎ（Ｈ）−Ｃ（Ｏ）−、−Ｓ−、−ＳＯ２−、−Ｃ（Ｏ）−、−Ｃ（Ｏ）−Ｏ−、−Ｃ（ＣＨ３）２−、−Ｃ（ＣＦ３）２−、−（ＣＨ２）−、および−ＮＨ（ＣＨ３）−からなる群から選択される１０モル％未満の結合をその中に含む上記１に記載の組成物。
１５．［合計（ａ）＋（ｂ）＋（ｃ）＋（ｄ）組成物の重量を基準として］約５重量％〜約７０重量％の、顔料；酸化防止剤；低下した熱膨張係数を付与する材料；高い強度特性を付与する材料；放熱または耐熱特性を付与する材料；耐コロナ性を付与する材料；電気伝導性を付与する材料；および摩耗または摩擦係数を低下させる材料からなる群のメンバーから選択される１つ以上の添加剤を含む成分（ｄ）をさらに含む上記１に記載の組成物。
１６．上記１に記載の組成物を含む物品。
１７．ブシュ、シールリング、スプリング、弁座、羽根、ワッシャー、ボタン、ローラー、クランプ、ワッシャー、ガスケット、スプライン、摩耗ストリップ、バンパー、スライドブロック、スプール、ポペット、弁板、ラビリンスシールまたはスラストプラグとして二次加工される上記１６に記載の物品。
【手続補正３】
【補正対象書類名】特許請求の範囲
【補正対象項目名】全文
【補正方法】変更
【補正の内容】
【特許請求の範囲】
【請求項１】
（ａ）約４０重量部以上なおかつ約９２重量部以下の、次式（IV）：
【化１】
2013508536.tif 000006
（式中、Ｒ４、Ｒ５、Ｒ６、およびＲ７はそれぞれ独立して、Ｈ、Ｂｒ、Ｃｌ、Ｆ、アルキル、アルコキシ、またはフルオロアルキルである）
の構造で表されるような、無水フタル酸、または無水フタル酸の誘導体で末端キャップされている硬質ポリイミド；（ｂ）約８重量部以上なおかつ約６０重量部以下の黒鉛；および（ｃ）約０.５重量部以上なおかつ約１０.０重量部以下のカーボンフィラメントを混合剤で含む組成物。
【請求項２】
請求項１に記載の組成物を含む物品。